(57)【要約】【課題】  外枠の交換頻度を低くしリユース率を高める。【解決手段】  外枠３には、本体基部４が開閉自在に保持される。外枠３の内周面の下側に、ガイド部材１６を着脱可能に取り付ける。本体基部４の底面部に、接触凸部４ａを設ける。外枠３の前面下部に、前飾り板１０を着脱可能に取り付ける。前飾り板１０を外枠３に取り付けると、ガイド部材１６は脱不可状態となる。パチンコ機２の機種交換を行うにあたって、本体基部４を外枠３から取り外し、新しい機種に対応した新たな本体基部４を外枠３に取り付ける。このとき、前飾り板１０を外枠３から取り外し、ガイド部材１６を外枠３から取り外す。そして、新たなガイド部材１６を外枠３に取り付ける。これにより、外枠３をリユースすることができる。【選択図】        図５
2005143645.tif 000002
【特許請求の範囲】
【請求項１】
遊技領域を備える遊技盤を保持する本体基部と、内部に前記本体基部を回動自在に保持する外枠とを備えた弾球遊技機において、
前記本体基部の外周部に設けられた接触部と、
前記外枠の内周部に取り付けられ、前記本体基部を回動させる際に前記接触部と接触して前記本体基部を前記外枠の内部の所定の位置へ案内する案内部材と、
前記案内部材を着脱可能にする固定部材とを備えたことを特徴とする弾球遊技機。
【請求項２】
前記案内部材は、前記接触部と接触する接触面が前記接触部と接触した後に当該接触部を摺動させて前記本体基部を前記所定の位置に案内するように傾斜して形成されていることを特徴とする請求項１記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
パチンコ店などの遊技場に設置して使用されるパチンコ機は、遊技媒体としてのパチンコ球に一定の価値が与えられて、ゲームを行って獲得したパチンコ球を種々の景品に交換することができる。パチンコ機は、遊技盤を保持する本体基部の一側部が、遊技場に設置された島設備に固定される外枠に開閉自在に軸支されて取り付けられている。なお、本体基部は、外枠を島設備に固定した後に、外枠に着脱自在に取り付けられる。本体基部の外周面と外枠の内周面とは、ほとんど隙間なく近接して取り付けられているため、本体基部を閉じる際には、本体基部は、その外周面が外枠の内周面に接触して外枠の内部の所定の位置へ案内される。また、本体基部の内部には、パチンコ球の供給に基づいて作動させる各種駆動装置及びこれら駆動装置を制御させるために対応させた制御回路装置が組み付けられており、遊技者が遊技を行う際にこれらを適宜作動させることによって遊技を興趣に溢れたものとしている。
【０００３】
遊技性の異なるパチンコ機への機種替えを行う場合には、各種駆動装置及び制御回路装置が組み付けられた本体基部を外枠から取り外し、外枠を遊技場に据え置きにしてリユースし、新しい機種に対応した各種駆動装置及び制御回路装置が組み付けられた新たな本体基部を外枠に取り付ける。
【発明の開示】
【発明が解決しようとする課題】
【０００４】
本体基部の内部に組み付けられ各種駆動装置を点検するときや、不具合が生じて各種駆動装置の駆動状態を確認するとき等には、本体基部を回動して開閉する必要があり、この本体基部の開閉の度に、外枠の内周面が本体基部の内周面と接触することになる。本体枠には、各種駆動装置及び制御回路装置が組み付けられているため、その重量は重くなり、本体基部は自重により、回動する際に下方などに偏ってへ傾いてしまう。したがって、外枠の内周面の下側（特定の面）と本体基部の底面との接触抵抗が大きくなり、外枠の内周面の下側（特定の面）が磨耗されてしまうため、本体基部を外枠に取り付ける際のガタツキ及び本体基部を開閉する際の不具合の原因となってしまう。このため、外枠全体を新たなものに交換する必要があり、外枠のリユースを行うことができなくなるという問題があった。
【０００５】
本発明は、上記従来技術の問題を解決するためになされたものであり、外枠の交換頻度を低くすることができリユース率を高めることができる弾球遊技機を提供することを目的とする。
【課題を解決するための手段】
【０００６】
上記目的を達成するために、本発明の弾球遊技機は、遊技領域を備える遊技盤を保持する本体基部と、内部に前記本体基部を回動自在に保持する外枠とを備えた弾球遊技機において、前記本体基部の外周部に設けられた接触部と、前記外枠の内周部に取り付けられ  、前記本体基部を回動させる際に前記接触部と接触して前記本体基部を前記外枠の内部の所定の位置へ案内する案内部材と、前記案内部材を着脱可能にする固定部材とを備えたことを特徴とする。
【０００７】
なお、前記案内部材は、前記接触部と接触する接触面が前記接触部と接触した後に当該接触部を摺動させて前記本体基部を前記所定の位置に案内するように傾斜して形成されていることが好ましい。
【発明の効果】
【０００８】
本発明の弾球遊技機によれば、本体基部を外枠の内部の所定の位置へ案内する案内部材が取り外し可能となるから、案内部材が磨耗して前記案内する機能を果せなくなった場合等、案内部材を交換する必要があるときには、外枠を交換することなく、案内部材のみを交換することができる。
【発明を実施するための最良の形態】
【０００９】
図１及び図２に示すように、弾球遊技機の１実施例であるパチンコ機２は、外枠３と、この外枠３の内部に開閉（回動）自在に保持された本体基部４とから構成されている。本体基部４は、本体基部４の左側部の上下に設けられた本体軸部４ａが、外枠３に分離自在に設けられた枠軸部３ａに開閉（回動）自在に取り付けられており、本体基部４は、枠軸部３ａを中心に外枠３に開閉自在となる。外枠３は、パチンコ店などの遊技場に設置された島設備に固定される。外枠３には、島設備に固定するためのボルト締め用の固定孔３ｂが複数形成されている。本体基部４の内部には遊技盤５が配設されており、本体基部４の前面には回動自在な扉部となる前面枠６が設けられている。この前面枠６には、遊技盤５の前面に形成され、打ち出されたパチンコ球が流下する遊技領域５ａを視認するためのガラス窓７が設けられている。前面枠６の下方には、打球用のパチンコ球を貯留する球皿８及びパチンコ球の打ち出し強さを調節する操作ハンドル９が設けられている。外枠３の前面下部には、前飾り板（固定部材）１０が取り付けられている。
【００１０】
外枠３の下側の左右の内部それぞれには、図示しない取付部材により、異機種でも使用できる共通部品としてのスピーカー１１（図３〜図５参照）が取り付けられている。スピーカ１１は、後述する制御回路装置１７にケーブル及びコネクタ等を介して電気的に接続されている。前飾り板１０の両端には、後述する音声出力孔１０ｆが設けられている。遊技状態に応じて、制御回路装置１７により駆動が制御されるスピーカ１１から出力される様々な効果音や音楽等の音声が、音声出力孔１０ｆからパチンコ機２の外部に出力される。
【００１１】
遊技盤５の遊技領域５ａの略中央には、図柄表示装置１２が設けられている。この図柄表示装置１２は、打ち出されたパチンコ球が所定入賞口に入賞するなどの所定入賞条件が満たされると、様々な図柄を変動表示させた後に、この変動表示している図柄を前記所定入賞条件が満たされたことを契機として行われる抽選の結果を反映する態様で停止表示させる。図柄表示装置１２の周りには様々な種類の入賞口１３及びアウト口１４が設けられている。遊技者は、球皿８にパチンコ球を投入することでパチンコ球をパチンコ球発射装置へと導き、操作ハンドル９を回動操作して、遊技領域５ａにパチンコ球を打ち出す。打ち出されたパチンコ球は遊技領域５ａの上方から流下する途中でいずれかの入賞口１３に入って検知部によって検出されるようになるか、あるいはアウト口１４から回収される。なお、遊技盤５に設けられている複数の釘、風車などの構造物は公知であるので説明は省略する。
【００１２】
図２に示すように、外枠３の内周面の下側には、本体基部４を回動する際に後述する本体基部４の接触凸部（接触部）４ｂと当接して、本体基部４を外枠３の内部の所定の位置に案内する金属製のガイド部材（案内部材）１６が取り付けられている。本体基部４の底面部には、回動する際にガイド部材１６に接触する金属製の接触凸部（接触部）４ｂが設けられている。本体基部４の裏側には、パチンコ球発射装置、球払出装置、主電源、ランプ装置等の駆動装置、これら駆動装置を例えば所定入賞の検出に基づく遊技状態に応じて作動させるための制御を行う制御回路装置１７がそれぞれ設けられている。これら駆動装置及び制御回路装置１７は、ケーブル及びコネクタ等を介して電気的に接続されている。
【００１３】
図３に示すように、前飾り板（固定部材）１０は、略板状で内部がくり抜かれた本体部１０ａと、本体部１０ａの上面後端部に形成された目隠しリブ１０ｂとからなり、本体部１０ａの上面には、ガイド部材１６を挿入するための切欠き１０ｃが形成されている。切欠き１０ｃは、本体部１０ａと目隠しリブ１０ｂとに連続して形成されている。本体部１０ａの上面には、後述するビス２２の頭部２２ａを挿入するための挿入凹部１０ｄが２個形成されており、挿入凹部１０ｄの底面部には、外枠３に取り付けるための取付孔１０ｅが形成されている。本体部１０ａの左右の両端には、本体部１０ａの前面から後面にかけて貫通して形成された音声出力孔１０ｆがそれぞれ形成されており、この音声出力孔１０ｆはそれぞれ５個形成されている。
【００１４】
ガイド部材（案内部材）１６は、前面部１６ａ、上面部（接触面）１６ｂ、後面部１６ｃとからなる略コ字形状に形成されており、上面部（接触面）１６ｂは、前面部１６ａから後面部１６ｃに向けて上向きのテーパ状に形成されている。前面部１６ａには、後述するビス２１の頭部２１ａを挿入するための挿入凹部１６ｄが２個形成されており、挿入凹部１６ｄの底面部には、外枠３に取り付けるための取付孔１６ｅが形成されている。
【００１５】
外枠３の内周面の下側には、前飾り板１０を取り付けるための取付孔３ｃが２個形成されている。外枠３の前面下部の略中央部よりも右側には、ガイド部材１６を取り付けるための取付ボス３ｄが２個形成されており、取付ボス３ｄには取付孔３ｅが形成されている。外枠３の内周面の下側の略中央部よりも右側には、ガイド部材１６を取り付ける際のガイド部材１６の受け部となる受け凸部３ｆが４個形成されている。
【００１６】
図４に示すように、ガイド部材１６を、ガイド部材１６の位置決め及び位置ずれ防止の機能を有する受け凸部３ｆの上に載せて、ビス２１を、取付孔１６ｅを介して外枠３の取付ボス３ｄに形成された取付孔３ｅにビス締めする。これにより、ガイド部材１６は、外枠３に固定される。なお、ビス２１の頭部２１ａは挿入凹部１６ｄに挿入されるから、ビス締め後に頭部２１ａがガイド部材１６よりも前面側に突出することがない。
【００１７】
ガイド部材１６を外枠３に固定した状態で、前飾り板１０を、切欠き１０ｃにガイド部材１６が挿入されるように外枠３に取り付ける。そして、ビス２２を、取付孔１０ｅを介して外枠３の取付孔３ｃにビス締めする。これにより、前飾り板１０は、外枠３に固定される。このとき、ガイド部材１６を外枠３に取り付けるためのビス２１は、前飾り板１０により隠された状態となり、ガイド部材１６は脱不可状態となる。なお、ビス２２の頭部２２ａは挿入凹部１０ｄに挿入されるから、ビス締め後に頭部２２ａが前飾り板１０よりも上面側に突出することがない。
【００１８】
上記のように構成されたパチンコ機２の作用について説明する。遊技盤５を保持する本体基部４には、パチンコ球発射装置、球払出装置、主電源、ランプ装置等の駆動装置や、制御回路装置１７が設けられているため、その重量は重くなり、本体基部４は自重により、回動する際に下方へ傾いてしまう。そのため、図５に示すように、本体基部４は、接触凸部４ｂがガイド部材１６の上面部１６ｂに接触して上下方向の位置が案内されながら回動することとなる。遊技場の管理者が、駆動装置や制御回路装置１７を点検するときや、パチンコ機２に不具合が生じて駆動装置や制御回路装置１７の駆動状態を確認するとき等には、本体基部４を回動して開放状態にする必要がある。そして、その作業が終了すると、本体基部４を回動して閉じ状態にする。このような作業を行うために本体基部４を回動すると、その度に、接触凸部４ｂとガイド部材１６とが接触するため、接触凸部４ｂとガイド部材１６とはそれぞれ磨耗されてしまう。
【００１９】
パチンコ機２の機種交換を行うにあたって、スピーカ１１が取り付けられた外枠３は遊技場に据え置きのまま、本体基部４を外枠３から取り外し、新しい機種に対応した新たな本体基部４を外枠３に取り付ける。このときに、ビス２２によるビス締めを解除して前飾り板１０を外枠３から取り外すと、ガイド部材１６を外枠３に取り付けるためのビス２１が露呈される。この状態で、ビス２１によるビス締めを解除して、ガイド部材１６を外枠３から取り外す。そして、新たなガイド部材１６を外枠３に取り付ける。なお、本体基部４が外枠３に取り付けられている状態でも、前飾り板１０を外枠３から取り外すことができるため、パチンコ機２の機種交換のときに限らず、所定期間が経過したときや、ガイド部材１６が磨耗して本体基部４を所定の位置へ案内する機能を果せなくなったときなどに、ガイド部材１６を交換してもよい。
【００２０】
このように、前飾り板１０を外枠３から取り外すと、本体基部４を外枠３の内部の所定の位置に案内する機能を有するガイド部材１６を外枠３から取り外すことができるようになるため、ガイド部材１６が磨耗した場合には、外枠３はそのままでガイド部材１６のみを交換することができる。したがって、パチンコ機２の機種交換を行う際には、ガイド部材１６を交換するだけで、外枠３を遊技場に据え置いたままにすることができるため、外枠３の交換頻度を低くすることができリユース率を高めることができる。
【００２１】
なお、上記実施形態では、ガイド部材１６を外枠３の内周面の下側に取り付けたが、これに限定されることなく、外枠３の内周面であれば上側や左側や右側に取り付けてもよく、この場合には、ガイド部材１６を取り付ける位置に応じて、前飾り板１０を取り付ける位置も変更する。また、ガイド部材１６を外枠３に位置（高さ方向）調整可能に取り付け、ガイド部材１６の高さ方向の位置を接触凸部４ｂとの接触具合に応じて調整してもよい。これにより、接触凸部４ｂが本体基部４を円滑に所定の位置へ案内することができるとともに、ガイド部材１６の耐久性を向上することができる。
【図面の簡単な説明】
【００２２】
【図１】本発明を実施したパチンコ機の外観斜視図である。
【図２】本体基部を回動したときのパチンコ機の外観斜視図である。
【図３】外枠と、前飾り板と、ガイド部材とを示す分解斜視図である。
【図４】ガイド部材を外枠に取り付けた状態を示す斜視図である。
【図５】外枠と、本体基部と、前飾り板と、ガイド部材とを示す断面図である。
【符号の説明】
【００２３】
２  パチンコ機
３  外枠
３ａ  枠軸部
４  本体基部
４ａ  本体軸部
４ｂ  接触凸部（接触部）
１０  前飾り板（固定部材）
１０ａ  本体部
１０ｂ  目隠しリブ
１０ｃ  切欠き
１１  スピーカ
１６  ガイド部材（案内部材）
１６ａ  前面部
１６ｂ  上面部（接触面）
１６ｃ  後面部
２１  ビス
２２  ビス
【図１】
2005143645.tif 000003
【図２】
2005143645.tif 000004
【図３】
2005143645.tif 000005
【図４】
2005143645.tif 000006
【図５】
2005143645.tif 000007